(57)【特許請求の範囲】
【請求項１】
硬貨軌道を転動する硬貨を一時的に係止するレバーを備え、このレバーを作動させ硬貨軌道から退避することにより硬貨を収納または返却する硬貨処理装置におけるレバー装置であって、前記レバーを少なくとも一対並設し、これらレバーのそれぞれに永久磁石を取り付けるとともに、これらの永久磁石に近接する電磁石を前記一対のレバー間に設け、この電磁石の鉄心の一端を前記一対の永久磁石に対向するように延設し、前記永久磁石の前記鉄心に対向する磁極を互いに異極としたことを特徴とする硬貨処理装置におけるレバー装置。
【請求項２】
請求項１記載の硬貨処理装置におけるレバー装置において、正規硬貨を１枚ずつ蓄積する複数の硬貨蓄積室を複数個並べるようにして設け、これら硬貨蓄積室のそれぞれに前記レバーを設けたことを特徴とする硬貨処理装置におけるレバー装置。
【発明の詳細な説明】
【０００１】
【発明の属する技術分野】
本発明は、公衆電話機等における硬貨の収納または返却を行う硬貨処理装置におけるレバー装置に関する。
【０００２】
【従来の技術】
この種の硬貨処理装置においては、硬貨を蓄積する硬貨蓄積室に硬貨を一時的に係止するレバーが備えられ、硬貨収納信号または硬貨返却信号が送出されると、レバーが硬貨蓄積室から退避し、硬貨を硬貨収納・返却軌道に導いている。この種の硬貨処理装置におけるレバー装置としては、実公平６−３９４１４号公報に開示されたものがある。ここに開示されたものには、硬貨選別軌道と、この硬貨選別軌道において判別された硬貨を振り分ける硬貨振分部と、この硬貨振分部によって振り分けられた硬貨を金種別に蓄積する３つの硬貨蓄積軌道と、この硬貨蓄積軌道に蓄積された硬貨を一旦係止し、作動することによって硬貨を硬貨収納軌道に導く硬貨収納レバーとが設けられている。
【０００３】
【発明が解決しようとする課題】
しかしながら、上述した従来の硬貨処理装置におけるレバー装置においては、硬貨収納レバーを作動させる電磁石装置が硬貨収納レバー毎に設けられている構造を有している。したがって、硬貨収納レバーの数が増加するとその増加分だけ電磁石装置も増加するので、装置が大型化するだけでなく製造コストも増大し、かつ制御動作も増えるといった問題があった。
【０００４】
本発明は上記した従来の問題に鑑みなされたものであり、第１の目的は装置の小型化を図ることにある。第２の目的は装置の低廉化を図ることにある。第３の目的は制御動作を簡素化することにある。
【０００５】
【課題を解決するための手段】
この目的を達成するために、請求項１に係る発明は、硬貨軌道を転動する硬貨を一時的に係止するレバーを備え、このレバーを作動させ硬貨軌道から退避することにより硬貨を収納または返却する硬貨処理装置におけるレバー装置であって、前記レバーを少なくとも一対並設し、これらレバーのそれぞれに永久磁石を取り付けるとともに、これらの永久磁石に近接する電磁石を前記一対のレバー間に設け、この電磁石の鉄心の一端を前記一対の永久磁石に対向するように延設し、前記永久磁石の前記鉄心に対向する磁極を互いに異極としたものである。
したがって、電磁石に通電する電流の方向を変えることによって、一対のレバーが選択的に作動する。
また、請求項２に係る発明は、請求項１に係る発明において、正規硬貨を１枚ずつ蓄積する複数の硬貨蓄積室を複数個並べるようにして設け、これら硬貨蓄積室のそれぞれに前記レバーを設けたものである。
したがって、複数個並べられたレバーの間に電磁石が設けられる。
【０００６】
【発明の実施の形態】
以下、本発明の実施の形態を図を用いて説明する。図１は本発明に係る硬貨処理装置において第１の硬貨蓄積基板側から視た分解斜視図である。図２は同じく第２の硬貨蓄積板側から視た分解斜視図である。図３は図１におけるIII 矢視図、図４は図１におけるIV矢視図である。図５は図２におけるV 矢視図である。図６は図３におけるVI-VI 線断面図であって、同図（ａ）は蓄積レバーが動作していない状態を示し、同図（ｂ）は蓄積レバーが動作した状態を示す。図７は図３におけるVII-VII 線断面図、図８は図３におけるVIII-VIII 線断面図である。図９は蓄積レバー部を拡大し、一部を破断して示す正面図である。
【０００７】
図１および図２において、硬貨処理装置１の筺体は、基板２とこの基板２と互いに対向し硬貨返却用空間７を形成する硬貨返却基板３と、この硬貨返却基板３と互いに対向し第１の硬貨蓄積用空間８を形成する第１の硬貨蓄積基板４と、基板２と互いに対向し第２の硬貨蓄積用空間９を形成する第２の硬貨蓄積基板５とによって概ね構成されている。
【０００８】
図６および図７に示すように、硬貨返却用空間７は第１の硬貨蓄積用空間８と第２の硬貨蓄積用空間９との間に挟まれるようにして設けられ、これら空間７，８，９の幅は、硬貨１０の厚みよりもやや大きく形成されている。図１に示すように、基板２の上部には枠状に形成された硬貨選別ユニット取付部１２が一体に形成され、この硬貨選別ユニット取付部１２の上部には矩形状の硬貨投入口用の切欠き１３が設けられている。
【０００９】
基板２の表側の両側部には、先端に爪が設けられた二対の弾性係合片１４が立設され、図２に示すように、基板２の裏側の一方の側部には、先端に折曲部１５ａが設けられた一対の支持片１５が立設され、他方の側部には先端に爪が設けられた一対の弾性係合片１６が立設されている。図１に示すように、硬貨返却用基板３の両側部には二対の切欠き１７が設けられ、一方の側部には先端に爪が設けられた一対の弾性係合片１８が立設され、他方の側部には先端に折曲部１９ａが設けられた一対の支持片１９が立設されている。
【００１０】
第１の硬貨蓄積基板４の一方の側部には、一対の切欠き２１が設けられ、他方の側部にはピン状に形成された一対の支持軸２２が設けられている。図２に示すように、第２の硬貨蓄積基板５の一方の側部には、一対の切欠き２３が設けられ、他方の側部にはピン状に形成された一対の支持軸２４が設けられている。
【００１１】
このような構成において、図１に示すように、硬貨返却基板３を基板２に重ね合わせ、硬貨返却基板３の切欠き１７に基板２の弾性係合片１４を弾性変形させ爪を係合させることにより、硬貨返却基板３が基板２に取り付けられ、上述したように硬貨返却用空間７を形成される。また、第１の硬貨蓄積基板４の支持軸２２を硬貨返却基板３の支持片１９の折曲部１９ａに枢支し、この折曲部１９ａを回動中心として第１の硬貨蓄積基板４を回動させ、切欠き２１を硬貨返却基板３の弾性係合片１８の爪に係合させることにより、第１の硬貨蓄積基板４が硬貨返却基板３に取り付けられ、上述したように第１の硬貨蓄積用空間８を形成される。さらに、図２に示すように、第２の硬貨蓄積基板５の支持軸２４を基板２の支持片１５の折曲部１５ａに枢支し、この折曲部１５ａを回動中心として第２の硬貨蓄積基板５を回動させ、切欠き２３を基板２の弾性係合片１６の爪に係合させることにより、第２の硬貨蓄積基板５が基板２に取り付けられ、上述したように第２の硬貨蓄積用空間９を形成される。
【００１２】
図３において、全体を符号２７で示すものは、硬貨選別ユニット取付部１２に着脱自在に取り付けられた硬貨選別ユニットであって、硬貨選別部２８と硬貨振分手段２９とが備えられている。硬貨選別部２８は、硬貨投入口を有する硬貨投入口ゲージ３１と、硬貨軌道板３２およびこの硬貨軌道板３２に開閉自在なフラッパ３３によって形成された硬貨選別軌道３４と、この硬貨選別軌道３４に臨むように設けられた材質選別手段３５とによって構成されている。
【００１３】
硬貨振分手段２９は、硬貨選別軌道３４の終端部に設けられた硬貨振分部３７と、図８に示すように、硬貨返却用空間７を挟むようにして設けられた一対のロータリソレノイド３８，３９とによって形成されている。硬貨振分部３７内には、一端が軸４２，４３に枢支された一対の振分レバー４０，４１が設けられ、これら振分レバー４０，４１の基端部には、係合孔４０ａ，４１ａが設けられている。ロータリソレノイド３８，３９のアクチュエータ４４，４５の揺動端部４４ａ，４５ａは係合孔４０ａ，４１ａ内に係入されており、ロータリソレノイド３８，３９が共に作動していないときには、振分レバー４０，４１は図中実線で示す位置に位置付けられ、硬貨選別軌道３４を転動してきた硬貨１０は硬貨返却用空間７に導かれる。このように、ロータリソレノイド３８，３９が共に作動していないときには、硬貨選別軌道３４を転動してきた硬貨１０は硬貨返却用空間７に導かれるので、停電時おいて、誤って硬貨１０が蓄積されるようなことがない。
【００１４】
一方のロータリソレノイド３９が作動し、アクチュエータ４５が回動すると、揺動端部４５ａが係合孔４１ａに係合するので、一方の振分レバー４１が軸４３を回動中心として図中反時計方向に回動し、硬貨選別軌道３４を転動してきた硬貨１０は第２の硬貨蓄積用空間９に導かれる。他方のロータリソレノイド３８が作動し、アクチュエータ４４が回動すると、揺動端部４４ａが係合孔４０ａに係合するので、他方の振分レバー４０が軸４２を回動中心として図中時計方向に回動し、硬貨選別軌道３４を転動してきた硬貨１０は第１の硬貨蓄積用空間８に導かれる。このように、硬貨選別軌道３４を転動してきた硬貨１０は、材質選別手段３５による選別結果に基づき、硬貨振分手段２９を介して、硬貨１０の厚み方向、すなわち硬貨返却用空間７または第１、第２の硬貨蓄積用空間８，９に振り分けられる。
【００１５】
次に、図４を用いて硬貨返却用空間７について説明する。
硬貨返却用空間７内には、基板２と硬貨返却基板３とに、互いに対向するように一体に突設されたコインレール５１，５２（基板２のコインレール５２は図示を省略）とによって、第１の硬貨返却軌道５０が形成されている。この第１の硬貨返却軌道５０の右端上部の入口部は、硬貨振分手段２９を介して硬貨選別軌道３４に連通し、左端下部の出口部の下方には、硬貨返却口（図示せず）に連通した硬貨返却通路５３が設けられている。５４は後述する硬貨収納・返却レバー８０が貫挿される略逆Ｌ字状の貫挿孔である。
【００１６】
次に、図３および図５を用いて第１の硬貨蓄積用空間８および第２の硬貨蓄積用空間９について説明する。第２の硬貨蓄積用空間９は第１の硬貨蓄積用空間８の一部の構成を有していないだけであって、他の構成は全く同じ構成を有しているので、ここでは第１の硬貨蓄積用空間８についてのみ説明し、第２の硬貨蓄積用空間９についての説明は適宜省略する。
第１の硬貨蓄積用空間８内には、硬貨返却基板３の表面の上下に、図中左下がりに傾斜した２本のコインレール５６，５７が一体に形成されている。コインレール５６の上方には第２の硬貨返却軌道５８が形成され、上方に位置付けられた硬貨選別部２７のフラッパ３３を開くことにより、硬貨選別軌道３４内からこの硬貨返却軌道５８に落下する硬貨１０が転動し、硬貨返却通路５３に導かれる。
【００１７】
２本のコインレール５６，５７に挟まれた領域には、互いに平行となるように、上方から硬貨蓄積軌道６０、硬貨蓄積部６１、硬貨収納軌道６２がそれぞれ設けられている。このうち、硬貨蓄積軌道６０の右端上部の入口部は、硬貨振分手段２９を介して硬貨選別軌道３４に連通し、左端の出口部は第２の硬貨返却軌道５８に連通している。６４は略くの字状に形成された４本のガイドレバーであって、第１の硬貨蓄積基板４に回動自在に支持され、転動阻止部６４ａが常時硬貨蓄積軌道６０に臨むように、錘６５によって回動習性が付与されている。
【００１８】
これらガイドレバー６４は、硬貨返却基板３の表面と第１の硬貨蓄積基板４の裏面に対向するように湾曲状に形成したガイド溝６５ａによって、時計方向と反時計方向の回動端限が決められている。６６は硬貨蓄積レバーであって、ガイドレバー６４に対応して４個設けられ、第１の硬貨蓄積基板４の外側に上部が揺動自在に支持され、図６に示すように、下端の折曲部６６ａが第１の硬貨蓄積基板４の窓から硬貨蓄積部６１内に臨んでいる。これら硬貨蓄積レバー６６の折曲部６６ａと、錘６５の付勢力に抗して図中時計方向に回動した４本のガイドレバー６４の硬貨受部６４ｂとで、４個の硬貨蓄積室６７が硬貨蓄積部６１に形成されている。６８は２個の電磁石であって、４個の硬貨蓄積レバー６６のうちの左右２個の硬貨蓄積レバー６６間の下方に設けられている。
【００１９】
図９に示すように、この電磁石６８に対応するように、一対の硬貨蓄積レバー６６Ａ，６６Ｂの下端の互いに隣接する部位には、永久磁石６９Ａ，６９Ｂが電磁石６８に対向する磁極を互いに異極とするように取り付けられている。電磁石６８は、鍔付きの円筒状に形成されたコイルスプール７０と、コイルスプール７０の中心に嵌合固定された鉄心７１と、コイルスプール７０の円筒部に巻回されたコイル７２と、鉄心７１に固着されたヨーク７３とによって構成されている。鉄心７１の上端部は、隣接する永久磁石６９Ａ，６９Ｂに近接するように左右に延設されている。
【００２０】
第１の硬貨蓄積基板４の硬貨収納軌道６２の図中左端部に対応した部位には、略逆Ｌ字状の貫挿孔７３が設けられ、この貫挿孔７３内には後述する硬貨収納・返却レバー８０が貫挿される。この貫挿孔７３の図中左方側は、第１の硬貨返却軌道５８と連通し、貫挿孔７３の図中下方には、硬貨収納通路７５が設けられている。
【００２１】
以上説明した第１の硬貨蓄積用空間８と、第２の硬貨蓄積用空間９とは全く同一の構成を有しており、以下に第１の硬貨蓄積用空間８のみに備えられた構成について説明する。すなわち、図３に示すように、８０は硬貨収納・返却レバーであって、上端が第１の硬貨蓄積基板４の外面に枢支され、下端に折曲形成された収納阻止片８１とこの収納阻止片８１に立設された返却阻止片８２とが設けられている。この硬貨収納・返却レバー８０の収納阻止片８１と返却阻止片８２とは、図３および図５における貫挿孔７３，７３と図４における貫挿孔５４に嵌挿されている。８５は第１の硬貨蓄積基板４の外面に固定されたロータリソレノイドであって、図示を省略したアクチュエータが硬貨収納・返却レバー８０に枢着されている。
【００２２】
このロータリソレノイド８５が非作動状態にあるときは、図６（ｂ）に示すように、硬貨収納・返却レバー８０の返却阻止片８２が第１および第２の硬貨蓄積用空間８，９から退避し、図３および図５において、硬貨収納軌道６２内の硬貨は第２の硬貨返却軌道５８に導かれる。一方、ロータリソレノイド８５が作動すると、図６（ａ）に示すように、硬貨収納・返却レバー８０の返却阻止片８２が第１および第２の硬貨蓄積用空間８，９を閉塞し、収納阻止片８１の開口（図示せず）が第１および第２の硬貨蓄積用空間８，９を開放する。したがって、図３および図５において、硬貨収納軌道６２内の硬貨は硬貨収納通路７５に導かれる。
【００２３】
次に、このような構成の硬貨処理装置における硬貨処理動作を説明する。
図３において、硬貨投入口ゲージ３１の硬貨投入口から硬貨１０を投入すると、硬貨１０は硬貨選別軌道３４を転動し、材質選別手段３５によって硬貨１０の材質が選別され、硬貨１０が疑似硬貨であると判別されると、図８において、硬貨振分手段２９における２個のロータリソレノイド３８，３９は共に作動しない。したがって、図４に示すように、疑似硬貨１０は硬貨返却用空間７の第１の硬貨返却軌道５０に導かれ、硬貨返却通路５３から硬貨返却口に返却される。このように、疑似硬貨を返却する第１の硬貨返却軌道５０を第１の硬貨蓄積用空間８と第２の硬貨蓄積用空間９との間の硬貨返却用空間７内に設けたことにより、第１の硬貨返却軌道５０を第１および第２の硬貨蓄積用空間８，９の上方に設ける必要がない。したがって、硬貨処理装置１の上下方向の寸法が大きくなるようなこともなく、装置の小型を図ることができる。
【００２４】
材質選別手段３５によって硬貨１０が正規硬貨と判定されると、図８において、一方のロータリソレノイド３８が作動し、振分レバー４０が軸４２を回動中心として図中時計方向に回動するので、硬貨１０は第１の硬貨蓄積用空間８に振り分けされる。したがって、図３に示すように、硬貨１０は硬貨蓄積軌道６０に導かれ、硬貨蓄積軌道６０の硬貨転動方向の最上流側のガイドレバー６４の転動阻止部６４ａによって転動が阻止されるので、硬貨受部６４ｂに落下し、錘６５の重量に抗してガイドレバー６４が図中時計方向に回動し、硬貨蓄積室６７に蓄積される。
【００２５】
この後、正規硬貨１０が硬貨投入口から投入されると、順次硬貨蓄積部６１の硬貨蓄積室６７に蓄積され、第１の硬貨蓄積用空間８の４個の硬貨蓄積室６７のすべてに硬貨が蓄積されると、図８において一方のロータリソレノイド３８が非作動状態になり、他方のロータリソレノイド３９が作動する。したがって、５枚目以降の正規硬貨１０は、硬貨振分手段２９によって第２の硬貨蓄積用空間９側に導かれるので、図５において、この第２の硬貨蓄積用空間９の硬貨蓄積室６７に順次蓄積される。
【００２６】
このように、硬貨１０の蓄積を硬貨１０の厚み方向に位置を違えた第１の硬貨蓄積用空間８と第２の硬貨蓄積用空間９とに蓄積するようにしたことにより、装置の表面積が大きくなるようなことがないので、装置の小型を図ることができる。また、第１の硬貨蓄積用空間８の４個の硬貨蓄積室６７のすべてに蓄積された後、第２の硬貨蓄積用空間９の硬貨蓄積室６７に蓄積するようにしたことにより、振分手段２９の硬貨振分レバー４０，４１の動作が簡素化されるので、誤動作が防止される。
【００２７】
硬貨蓄積室６７に蓄積された硬貨１０は、図示を省略した制御装置によって通話料に応じて収納される金種が決められると、図９に示すように、電磁石６８のコイル７２に通電される。このとき、通電の方向を選択することにより、鉄心７１の延設部７１ａの極性をＮ極またはＳ極に選択することができるので、一方の硬貨蓄積レバー６６Ａを作動させる場合には、延設部７１ａをＳ極とする。他方の硬貨蓄積レバー６６Ｂの永久磁石６９Ｂは、延設部７１ａに形成された磁極Ｓ極と互いに吸引し合うので、この硬貨蓄積レバー６６Ｂは作動することがない。
【００２８】
一方の硬貨蓄積レバー６６Ａは、延設部７１ａに形成された磁極Ｓ極と永久磁石６９ＡのＳ極とが互いに反発し合うので、図６（ｂ）に示すように、折曲部６６ａが硬貨蓄積部６１から退避するように作動する。したがって、図３において、硬貨蓄積室６７内の硬貨１０は、硬貨収納軌道６２に落下し、硬貨収納軌道６２を転動した後、硬貨収納通路７５に導かれる。このように、１個の電磁石６８によって一対の蓄積レバー６６Ａ，６６Ｂを選択的に作動させることができるので、装置の小型化を図ることができるとともに、装置の低廉化を図ることができ、かつ制御動作を簡素化することができる。
【００２９】
通話が終了して、硬貨蓄積室６７内の硬貨１０を返却する場合には、電磁石６８への通電を正、逆方向にそれぞれ行い、硬貨蓄積室６７内の硬貨をすべて硬貨収納軌道６２に落下させ、硬貨収納軌道６２を転動させる。ロータリソレノイド８５を作動させ、硬貨収納・返却レバー８０の返却阻止片８２を第１および第２の蓄積用空間８，９から退避させることにより、第２の硬貨返却軌道５８を介して硬貨返却通路５３に導く。
【００３０】
ここで、第１の硬貨蓄積用空間８内で硬貨詰まりが発生したときには、図１において、第１の硬貨蓄積基板４の切欠き２１に係合している弾性係合片１８の係合を解除する。図７に示すように、支持軸２２が枢支されている硬貨返却基板３の支持片１９の折曲部１９ａを回動中心として回動させ、第１の硬貨蓄積用空間８を開くことにより、詰まった硬貨を取り除くことができる。第２の硬貨蓄積用空間９内で硬貨詰まりが発生したときにも、図７に示すように、同様に、第２の硬貨蓄積基板５を基板２の支持片１５の折曲部１５ａを回動中心として回動させ、第２の硬貨蓄積用空間９を開くことにより、詰まった硬貨を取り除くことができる。
【００３１】
また、第２の硬貨蓄積用空間９が不要になった場合には、図２に示すように、第２の硬貨蓄積基板５の切欠き２３に係合した弾性係合片１６の係合を解除し、基板２の支持片１５の折曲部１５ａに枢支された支持軸２４の枢支を解除することにより、第２の硬貨蓄積基板５を基板２から取り外すことができる。
【００３２】
【発明の効果】
以上説明したように、請求項１または２に係る発明によれば、装置の小型化を図ることができるとともに、装置の低廉化を図ることができ、かつ制御動作を簡素化することができる。
【図面の簡単な説明】
【図１】  本発明に係る硬貨処理装置において第１の硬貨蓄積基板側から視た分解斜視図である。
【図２】  本発明に係る硬貨処理装置において第２の硬貨蓄積板側から視た分解斜視図である。
【図３】  図１におけるIII 矢視図である。
【図４】  図１におけるIV矢視図である。
【図５】  図２におけるV 矢視図である。
【図６】  図３におけるVI-VI 線断面図であって、同図（ａ）は蓄積レバーが動作していない状態を示し、同図（ｂ）は蓄積レバーが動作した状態を示す。
【図７】  図３におけるVII-VII 線断面図である。
【図８】  図３におけるVIII-VIII 線断面図である。
【図９】  蓄積レバー部を拡大し、一部を破断して示す正面図である。
【符号の説明】
１…硬貨処理装置、１０…硬貨、６６，６６Ａ，６６Ｂ…硬貨蓄積レバー、６７…硬貨蓄積室、６８…電磁石、６９，６９Ａ，６９Ｂ…永久磁石、７１…鉄心、７１ａ…延設部、７２…コイル。
【図１】
0003855633.tif 000002
【図２】
0003855633.tif 000003
【図３】
0003855633.tif 000004
【図４】
0003855633.tif 000005
【図５】
0003855633.tif 000006
【図６】
0003855633.tif 000007
【図７】
0003855633.tif 000008
【図８】
0003855633.tif 000009
【図９】
0003855633.tif 000010